(57)【要約】【課題】リアカバーがメス型コネクタハウジングに装着した場合、リアカバー内の電線の固定性を向上させて、電線振動によるメス型コネクタハウジング内の端子接点部の摩耗を防ぐことができるリアカバーを提供する。【解決手段】コネクタハウジング２０に装着されてコネクタハウジング２０から導出される電線Ｗを案内するリアカバー１０において、電線Ｗを収容する電線収容溝１０Ａを設け、電線収容溝１０Ａ内の両壁面の間隔を電線入口側１０Ｂと電線出口側１０Ｃの２箇所において幅狭に形成し、かつ電線収容溝内の両壁面の高さを出口部位近傍に近づくにつれて低くし、出口部位での壁面の高さを収容する電線Ｗの直径よりも低くした。【選択図】図４
2011090821.tif 000002
【特許請求の範囲】
【請求項１】
コネクタハウジングに装着されて前記コネクタハウジングから導出される電線を案内するリアカバーにおいて、前記電線を収容する電線収容溝を設け、前記電線収容溝内の両壁面の間隔を電線入口側と電線出口側の２箇所において幅狭に形成したことを特徴とするリアカバー。
【請求項２】
前記電線収容溝内の両壁面の高さを電線出口側に近づくにつれて低くし、電線出口側での壁面の高さを収容する電線の直径よりも低くしたことを特徴とする請求項１記載のリアカバー。
【請求項３】
前記リアカバーの後端部を細く形成してテープを巻き易くしたことを特徴とする請求項１又は２記載のリアカバー。
【請求項４】
コネクタハウジングに装着されて前記コネクタハウジングから導出される電線を案内するリアカバーにおいて、前記電線１本分だけ収容する幅でかつ前記電線複数本分だけ縦に重ねて収容する深さの電線収容溝を設け、前記電線収容溝内の両壁面の一方を突出させ、他方の壁面の対向箇所を凹部に形成して、収容する電線を強制的にＳ字状に曲折させたことを特徴とするリアカバー。
【請求項５】
前記電線収容溝内の両壁面の高さを電線出口側に近づくにつれて低くし、出口部位での壁面の高さを収容する複数本の電線の積み重ね高さよりも低くしたことを特徴とする請求項４記載のリアカバー。
【請求項６】
前記リアカバーの後端部を細く形成してテープを巻き易くしたことを特徴とする請求項４又は５記載のリアカバー。
【請求項７】
内部に装着された端子金具と前記端子金具に接続されて外部に導出された電線とを備えて成るコネクタハウジングと、
前記コネクタハウジングに装着されて前記コネクタハウジングから導出される電線を案内するリアカバーと、
を有するコネクタにおいて、前記リアカバーとして請求項１〜６のいずれか１項記載のリアカバーを用いたことを特徴とするコネクタ。
【発明の詳細な説明】
【技術分野】
【０００１】
本発明は、コネクタハウジングにリアカバーを取付けて電線をリアカバーに沿って案内させるコネクタに関するもので、特にその電線の振れを防止する機能を有するリアカバーとそれを備えたコネクタに関する。
【背景技術】
【０００２】
コネクタハウジングの後側（相手方コネクタとの嵌合側の反対側）から導出された電線をリアカバーを形成する基壁の前側に沿わせることで、電線がリアカバーに案内されるようにしたリアカバー付きのコネクタは知られている（特許文献１参照）。
【先行技術文献】
【特許文献】
【０００３】
【特許文献１】特開２００３−４５５５６号公報
【０００４】
〈特許文献１記載のカバー付コネクタの構成〉
特許文献１記載のカバー付コネクタは、片面に粘着剤が塗布されたテープを用いて、リアカバーの基壁とこの基壁の前側に束ねられた複数の電線とをテープの巻付けにより固定し、複数の電線をリアカバーの基壁に固定するものである。
粘着剤が塗布された面側が内側となるようにしてテープでこのように複数の電線とリアカバーの基壁とを巻くことで、複数の電線をリアカバーの基壁の前側に固定するものである。
【発明の概要】
【発明が解決しようとする課題】
【０００５】
〈特許文献１記載のカバー付コネクタの問題点〉
ところが、特許文献１記載のカバー付コネクタにおいては、リアカバーの基壁とこの基壁の前側に束ねられた複数の電線とが粘着テープに巻付けられている場合に複数の電線がすべて粘着テープにて完全に固定されることが難しいため、粘着テープに接触しない電線は振動で動き易く、振動が長期的に加わると、電線の振動がメス端子の接点部に伝わることにより接点の摩耗が発生する虞があった。
【０００６】
〈本発明の目的〉
本発明は上記欠点を解決するためになされたもので、リアカバー内での電線の固定性の向上を図り、コネクタに振動が加わってもリアカバー内の電線が振動することのないようにし、したがってまた、電線の振動によるコネクタ内の端子接点部の摩耗が生じないようにすることを目的としている。
【課題を解決するための手段】
【０００７】
本発明は上記課題を解決するためになされたもので、本願の第１発明はリアカバーに関し、コネクタハウジングに装着されて前記コネクタハウジングから導出される電線を案内するリアカバーにおいて、前記電線を収容する電線収容溝を設け、前記電線収容溝内の両壁面の間隔を電線入口側と電線出口側の２箇所において幅狭に形成したことを特徴としている。
【０００８】
第２発明は、第１発明のリアカバーにおいて、前記電線収容溝内の両壁面の高さを電線出口側に近づくにつれて低くし、電線出口側での壁面の高さを収容する電線の直径よりも低くしたことを特徴としている。
【０００９】
第３発明は、第１又は第２発明のリアカバーにおいて、前記リアカバーの後端部を細く形成してテープを巻き易くしたことを特徴としている。
【００１０】
第４発明は、リアカバーに関するもので、コネクタハウジングに装着されて前記コネクタハウジングから導出される電線を案内するリアカバーにおいて、前記電線１本分だけ収容する幅でかつ前記電線複数本分だけ縦に重ねて収容する深さの電線収容溝を設け、前記電線収容溝内の両壁面の一方を突出させ、他方の壁面の対向箇所を凹部に形成して、収容する電線を強制的にＳ字状に曲折させたことを特徴としている。
【００１１】
第５発明は、第４発明のリアカバーにおいて、前記電線収容溝内の両壁面の高さを電線出口側に近づくにつれて低くし、出口部位での壁面の高さを収容する複数本の電線の積み重ね高さよりも低くしたことを特徴としている。
【００１２】
第６発明は、第４又は第５発明のリアカバーにおいて、前記リアカバーの後端部を細く形成してテープを巻き易くしたことを特徴としている。
【００１３】
第７発明は、コネクタに関するもので、内部に装着された端子金具と前記端子金具に接続されて外部に導出された電線とを備えて成るコネクタハウジングと、前記コネクタハウジングに装着されて前記コネクタハウジングから導出される電線を案内するリアカバーと、を有するコネクタにおいて、前記リアカバーとして第１〜第６発明のいずれかのリアカバーを用いたことを特徴としている。
【発明の効果】
【００１４】
第１発明によれば、電線収容溝の電線入口側と電線出口側の２箇所において幅狭に形成したので、電線に振動が加わっても動き難くなってリアカバー内での電線の固定性が向上し、コネクタに振動が加わっても電線の振動によるコネクタ内の端子接点部の摩耗が生じないようになる。
【００１５】
第２発明によれば、電線収容溝内の両壁面の高さを電線出口側に近づくにつれて低くし、電線出口側での壁面の高さを収容する電線の直径よりも低くしたので、斜面から露出した電線はテープとの接触面が増えるので、ここでテープを巻回すると電線をリアカバーに確実に固定させることが可能となり、リアカバー内での電線の固定性がさらに向上し、電線の振動によるコネクタ内の端子接点部の摩耗が生じないようになる。
【００１６】
第３発明によれば、リアカバーの後端部を細く形成したので、テープが巻き易くなり、かつ接着力も強くなり、剥離し難くなる。
【００１７】
第４発明によれば、電線１本分だけ収容する幅でかつ電線複数本分だけ縦に重ねて収容する深さの電線収容溝を設け、電線収容溝内の両壁面の一方を突出させ、他方の壁面の対向箇所を凹部に形成したので、中に収容する電線を強制的にＳ字状に曲折させることができ、電線に振動が加わっても動き難くなってリアカバー内での電線の固定性が向上し、コネクタに振動が加わっても電線の振動によるコネクタ内の端子接点部の摩耗が生じないようになる。
【００１８】
第５発明によれば、前記電線収容溝内の両壁面の高さを電線出口側に近づくにつれて低くし、出口部位での壁面の高さを収容する複数本の電線の積み重ね高さよりも低くしたので、斜面から露出した電線はテープとの接触面が増えるので、ここでテープを巻回すると電線をリアカバーに確実に固定させることが可能となり、リアカバー内での電線の固定性がさらに向上し、電線の振動によるコネクタ内の端子接点部の摩耗が生じないようになる。
【００１９】
第６発明によれば、リアカバーの後端部を細く形成したので、テープが巻き易くなり、かつ接着力も強くなり、剥離し難くなる。
【００２０】
第７発明によれば、コネクタを構成するリアカバーとして第１〜第６発明のいずれかのリアカバーを用いたので、電線の振動によるコネクタ内の端子接点部の摩耗が生じないようになる。
【図面の簡単な説明】
【００２１】
【図１】図１は、本発明の実施例１に係るリアカバー１０を説明するための平面図である。
【図２】図２は図１のリアカバーをメス型コネクタハウジングに装着した状態のメスコネクタ全体の平面図である。
【図３】図３は図１のリアカバー１０を電線出口側から見た斜視図である。
【図４】図４は電線出口側で電線Ｗにテーピング処理を施したリアカバー１０を電線出口側から見た斜視図である。
【図５】図５は、リアカバー１０の電線出口側の部位の側面図である。
【図６】図６は、リアカバー１０がメス型コネクタハウジング２０に装着した状態をメス型コネクタハウジング側から見た斜視図である。
【図７】図７は、本発明の実施例２に係るリアカバー１０’を説明するための平面図である。
【図８】図８は、図７のリアカバー１０’を電線出口側から見た斜視図で、（Ａ）は全体図、（Ｂ）は電線出口側の部分拡大図である。
【図９】図９は、本発明の実施例２に係るリアカバー１０’に電線を収容した状態を説明する図で、（Ａ）は突起部の部位の拡大平面図、（Ｂ）は電線出口側の側面図、（Ｃ）は電線出口側の正面図である。
【図１０】図１０は、図７のリアカバー１０’をメス型コネクタハウジングに装着した状態のメスコネクタ全体の平面図である。
【図１１】図１１は、電線出口側で電線Ｗにテーピング処理を施したリアカバー１０’を電線出口側から見た斜視図である。
【発明を実施するための形態】
【００２２】
以下、電線の固定性の向上により電線振動による端子接点部の摩耗を防ぐ本発明に係るリアカバーについて、以下に図面を用いて説明する。
【実施例１】
【００２３】
〈リアカバー１０は装着部と電線把持部とから成る〉
図１は、本発明の実施例１に係るリアカバー１０を説明するための平面図、図２は図１のリアカバー１０がメス型コネクタハウジング２０に装着した状態のメスコネクタ全体の平面図である。
図１において、リアカバー１０は、後端部から電線Ｗが導出されている状態のメス型コネクタハウジング２０（図２）と装着するための装着部１０Ｘと、装着されたメス型コネクタハウジング２０から導出される電線Ｗを通過させる電線把持部１０Ｙとを備えている。
《装着部１０Ｘ》
装着部１０Ｘはリアカバー１０の前端側にあってメス型コネクタハウジング２０の後端（電線導出側）を装着する開口１０Ｇを有し、かつその開口１０Ｇの内部にメス型コネクタハウジング２０の係止突起２０Ｋ（図６）と係合する係止溝１０Ｋとを備えている。
この装着部の構造自体は公知なので、説明は省略する。
《電線把持部１０Ｙ》
本発明の実施例１に係るリアカバー１０の特徴は電線把持部１０Ｙにあり、特に電線把持部１０Ｙに次のような電線収容溝１０Ａを形成したことにある。
【００２４】
〈リアカバー１０の電線収容溝１０Ａの特徴〉
本発明の実施例１に係る電線把持部１０Ｙは、電線Ｗを収容するための電線収容溝１０Ａに３つの特徴と、後端部１０Ｄに１つの特徴を有している。すなわち、電線収容溝１０Ａの（１）第１幅狭部、（２）第２幅狭部、（３）斜面部と、後端部１０Ｄの（１）先細部である。
これらの特徴により、電線Ｗがリアカバー１０の電線収容溝１０Ａに収容された状態では、リアカバー１０の電線収容溝内面に挟持されることにより、電線Ｗの左右方向への振れが規制されるようになる。以下、これらについて順次述べる。
【００２５】
〈電線収容溝１０Ａの特徴１：第１幅狭部〉
電線収容溝１０Ａは底部と底部の両端から立ち上がる両壁面から構成されているが、電線収容溝１０Ａの特徴１は、その両壁面のうち特に電線入口側（上流側）１０Ｂ（図１）の両壁面を幅狭に形成している点である。
このように形成することで、図２のようにコネクタハウジング２０から導出された３本の電線Ｗはリアカバー１０の電線入口側１０Ｂの幅狭の両壁面で強く締めつけられるので、振動を受けても揺れなくなり、電線Ｗの振動がメス端子の接点部に伝わるようなことがなくなる。
【００２６】
〈電線収容溝１０Ａの特徴２：第２幅狭部〉
電線収容溝１０Ａの特徴２は、両壁面のうち上流側から電線出口側（下流側）１０Ｃ（図１）の両壁面に向かうにつれて両壁面の間隔を徐々に狭くするように幅狭に形成している点である。
このように形成することで、図２のように電線入口側１０Ｂの幅狭の両壁面で強く締めつけられた電線Ｗはその後互いに広がってもリアカバー１０の電線出口側１０Ｃに向かうにつれて次第に接近し、電線出口側１０Ｃの幅狭の両壁面で再び強く締めつけられるので電線Ｗは固定性が向上し、第１幅狭部である電線入口側１０Ｂと第２幅狭部である電線出口側１０Ｃとの両端で電線Ｗを固定しているため、電線Ｗが振動を受けても振動がメス端子の接点部に伝わらなくなる。
また、電線収容溝１０Ａの全長に亘って電線Ｗを引張状態で収容する必要がないので、作業性が良くなる。
【００２７】
〈電線収容溝１０Ａの特徴３：斜面部〉
図３は図１のリアカバー１０を電線出口側から見た斜視図である。
電線収容溝１０Ａの特徴３は、溝の両壁面の高さを電線出口側１０Ｃに向かうにつれて図３に示すように徐々に低くなるように斜面１０Ｅに形成し、電線出口側１０Ｃの丈を最も低くしている点である。
このように形成することで、電線収容溝１０Ａを通って電線出口側１０Ｃに位置する電線Ｗは、電線Ｗの直径の方が電線出口側１０Ｃの丈よりも高くなる。
図５はこのような特徴を備えたリアカバー１０の電線出口側の部位の側面図である。図５において、電線出口側１０Ｃに位置する電線Ｗは、電線Ｗが電線出口側１０Ｃの丈よりも高く、上部に露出しているのが判る。したがって、リアカバー１０の斜面１０Ｅから露出した電線Ｗは、テープＴＰとの接触面が増えるので、ここでテープＴＰを巻回すると図４のようにテープＴＰがすべての電線Ｗと接触できるので、電線Ｗをリアカバー１０に確実に固定させることが可能となる。
【００２８】
〈リアカバー１０の後端部の特徴４：先細部〉
図４は電線出口側で電線Ｗにテーピング処理を施した状態を電線出口側から見た斜視図である。本発明の実施例１では、特徴４としてリアカバー１０の後端部１０Ｄ（図１）を上流よりも幅を次第に細く形成して先細にしている。このように形成することで、リアカバー１０の後端部１０ＤにテープＴＰを巻き付け易くして作業性の向上を図ることができる。
このように特徴３と特徴４の合わせ技により、テープＴＰとすべての電線Ｗとが接する面が広くなるので電線Ｗをリアカバー１０に確実に固定させることができるため、端子接点部の磨耗を確実に防ぐことができる。さらに、作業性良くかつ強くテープＴＰの巻回ができるため、しかもテープＴＰの電線Ｗからの剥離を防止することができる。
【００２９】
〈リアカバー１０とメス型コネクタハウジング２０の係合部〉
ここで、リアカバー１０とメス型コネクタハウジング２０の係合部について、図６を用いて説明しておく。図６は、リアカバー１０がメス型コネクタハウジング２０に装着完了した状態の斜視図で、図２のリアカバー１０とメス型コネクタハウジング２０の図を裏返しにしてメス型コネクタハウジング２０側から見た図である。図中の拡大図Ｓはリアカバー１０の係止溝１０Ｋとメス型コネクタハウジング２０の係止突起２０Ｋとの係合部を説明する図で、リアカバー１０のフード１０Ｆの部位における係合部を通る面で切断した横断面図である。図Ｓにおいて、リアカバー１０の左右方向両側の所定部位に係止溝１０Ｋが形成されている。また、メス型コネクタハウジング２０の装着時の対向箇所に係止突起２０Ｋが形成されている。リアカバー１０とメス型コネクタハウジング２０とが装着した状態で、リアカバー１０に形成されている係止溝１０Ｋにメス型コネクタハウジング２０の係止突起２０Ｋが係合して、リアカバー１０がメス型コネクタハウジング２０から外れないようになっている。
【００３０】
〈実施例１の長所〉
以上のように、実施例１によれば、端子接点部の磨耗を確実に防ぐことができる。さらに、作業性良くかつ強くテープＴＰの巻回ができるため、しかもテープＴＰの電線Ｗからの剥離を防止することができる。
【実施例２】
【００３１】
〈リアカバー１０は装着部と実施例２の電線把持部とから成る〉
図７は、本発明の実施例２に係るリアカバー１０を説明するための平面図、図８は図７のリアカバー１０を電線出口側から見た斜視図で、（Ａ）は全体図、（Ｂ）は部分拡大図である。図７において、リアカバー１０’に実施例２により次のような電線収容溝１０Ａ’を形成したことにある。
【００３２】
〈リアカバー１０’の電線収容溝１０Ａ’の特徴〉
本発明の実施例２に係る電線収容溝１０Ａ’は、（１）突起部と凹部、（２）電線１本分の溝、（３）先細部を形成したことに特徴がある。
これらの特徴により、電線Ｗが電線収容溝１０Ａ’に収容された状態で、リアカバー１０の電線収容溝１０Ａ’内面に挟持され、３本の電線が縦に重なる配置と先細によりテーピングの作業性が良くなり、かつ、電線Ｗの左右方向への振れが規制されるようになる。
以下、これらについて順次述べる。
【００３３】
〈電線収容溝１０Ａ’の特徴１：突起部と凹部〉
電線収容溝１０Ａ’は底部と底部の両端から立ち上がる両壁面から構成されているが、その両壁面のうちの一方の壁面の１箇所に電線収容溝１０Ａ’に向けて突出する突起部１０Ｔを形成し、相手方壁面の対向部位に凹部１０Ｈを形成している点である。
このように突起部１０Ｔと凹部１０Ｈを形成することで、図９（Ａ）のように電線収容溝１０Ａ’内に収容される電線Ｗは強制的にＳ字状に配置されるので、電線Ｗの振動が突起部１０Ｔで制動されるため、揺れなくなり、電線Ｗの振動がメス端子の接点部に伝わることがなくなる。
【００３４】
〈電線収容溝１０Ａ’の特徴２：電線１本分の溝〉
電線収容溝１０Ａ’の特徴２は、電線収容溝１０Ａ’の幅を狭くして電線Ｗが１本だけ入る幅狭に形成し、その代わり、電線収容溝１０Ａ’の深さを図８（Ｂ）に示すように電線３本分が縦に積み重なって収容されるように深くなっている点である。そしてさらに、電線収容溝１０Ａ’の溝の両壁面の高さを電線出口側１０Ｃに向かうにつれて徐々に低くなるように斜面１０Ｅ（図９（Ｂ））に形成し、電線出口側１０Ｃでの電線３本分が縦に積み重なった高さの方が壁面の高さより高くなるように形成している。
このように形成することで、電線収容溝１０Ａ’を通って電線出口側１０Ｃに位置する３本の重なり電線Ｗは、図９（Ｂ）のように電線出口側１０Ｃの上部に露出するので、図１０のように露出した最上の電線ＷだけをテープＴＰで固定すればよく、したがって図９（Ｃ）のようにテープＴＰを巻回すると図１１のように電線Ｗをリアカバー１０’に確実に固定させることが可能となるので作業性と固定性が向上する。
【００３５】
〈リアカバー１０’の後端部の特徴：先細部〉
図７では、リアカバー１０’の後端部１０Ｄを上流よりも幅を次第に細く形成して先細にしている点である。このように形成することで、リアカバー１０’の後端部１０ＤにテープＴＰを巻き付け易くして作業性の向上を図ることができる。
【００３６】
〈実施例２の長所〉
以上のように、実施例２によれば、電線Ｗを縦に積み重ねてテープＴＰを巻くことにより、図９（Ｃ）の様に、テープＴＰと接する電線は１本なので、メス型コネクタハウジング２０からリアカバー１０’を外す際に分解がし易くなる。すなわち、電線Ｗへの接着剤残りを減らすことができ、取外し作業性が向上する。
以上の構造により、電線Ｗはリアカバー１０の電線収容溝１０Ａに収容・固定され、コネクタに振動が加わった際でも電線Ｗの振れを防止することができ、端子接点部の磨耗を確実に防ぐことができる。
また、リアカバー後端部を細く形成することでテープを巻き易くし、作業性を向上できる。
【符号の説明】
【００３７】
１０  実施例１のリアカバー
１０’  実施例２のリアカバー
１０Ａ  実施例１の電線収容溝
１０Ａ’  実施例２の電線収容溝
１０Ｂ  電線入口側（上流側）
１０Ｃ  電線出口側（下流側）
１０Ｅ  斜面 
１０Ｆ  フード
１０Ｈ  凹部
１０Ｋ  係止溝
１０Ｔ  突起部
１０Ｘ  装着部
１０Ｙ  電線把持部
２０  メス型コネクタハウジング
２０Ｋ  係止突起
Ｗ  電線
ＴＰ  テープ
【図１】
2011090821.tif 000003
【図２】
2011090821.tif 000004
【図３】
2011090821.tif 000005
【図４】
2011090821.tif 000006
【図５】
2011090821.tif 000007
【図６】
2011090821.tif 000008
【図７】
2011090821.tif 000009
【図８】
2011090821.tif 000010
【図９】
2011090821.tif 000011
【図１０】
2011090821.tif 000012
【図１１】
2011090821.tif 000013